(57)【要約】【課題】ライトバルブ上を走査する１つ以上の照明光を提供する照明系を備えた表示装置において，ライトバルブ上における照明光の形状を最適化する。【解決手段】投射型表示装置は、三原色に分離された光束の形状を各色ごとに整形するスリットＳ１を備えた光束整形板を有する。スリットＳ１を通過した各光束は、回転プリズムでスクロールされてライトバルブ上に結像する。光束整形部は、ライトバルブにおける結像光束の形状が最適となるように、スリットＳ１からライトバルブに至る光学系による影響を考慮して、そのスリットＳ１の形状を設定したものである。スリットＳ１の形状の設計を行うために、スリットＳ１からライトバルブに至る光学系のディストーションの評価を用い、ライトバルブ上において目的とする結像光束の形状に対して、評価したディストーションを用いて演算を行うことによって、スリットＳ１の形状を決定する。【選択図】        図１
2004151154.tif 000002
【特許請求の範囲】
【請求項１】
入射光を変調して投射画像を形成するライトバルブと、光源と、該光源から出射した光束を三原色に分離し、各色の光束形状を整形して出射させる三原色光束形成部と、該三原色光束形成部からの光束を入射させ、各色の光束をスクロールさせながら前記ライトバルブに結像させるカラースクロール部と、前記ライトバルブで変調されて出射した光束を投射する投射光学系とを備える投射型表示装置において、前記三原色光束形成部は、入射光束を三原色の光束に分離する分離手段と、該分離手段で分離した各光束の形状を整形するための開口部を各色ごとに備える光束整形手段とを有し、該光束整形手段は、ライトバルブにおける結像光束の形状が最適となるように、前記開口部から前記ライトバルブに至る光学系による影響を考慮して、前記開口部の形状を設定することを特徴とする投射型表示装置。
【請求項２】
請求項１に記載の投射型表示装置において、前記開口部の形状の設計を行うために、前記開口部から前記ライトバルブに至る光学系のディストーションの評価を用い、ライトバルブ上において目的とする結像光束の形状に基づいて、前記評価したディストーションを用いて演算を行うことによって、前記開口部の形状を決定したことを特徴とする投射型表示装置。
【請求項３】
請求項２に記載の投射型表示装置において、目的とする結像光束の形状と相似形状で前記光学系の拡大倍率に従って縮小した開口部基礎形状と、該開口部基礎形状の中心Ｏを通るある直線とを定義し、最適な前記開口部の形状と前記直線との交点をＡとし、前記開口部基礎形状の外周と前記直線との交点をＢとし、前記Ｏから前記Ａまでの距離をｙ、前記Ｏから前記Ｂまでの距離をｙ’として、ある点のディストーション量Ｄを、Ｄ＝ｆ（ｙ）で表すとき、
ｙ＝（１００×ｙ’）÷（ｆ（ｙ）＋１００）
に従ってｙ’の値からｙを求め、前記直線を回転させて複数のｙを演算することにより目的とする前記開口部の形状を構成したことを特徴とする投射型表示装置。
【発明の詳細な説明】
【０００１】
【発明の属する技術分野】
本発明は、投射型表示装置、より詳細には、投射表示用のライトバルブに対する投射光の光束の形状寸法を整形するための手段を備えた投射型表示装置に関するものである。
【０００２】
【従来の技術】
大画面表示手段として、大画面のＣＲＴやＰＤＰ（プラズマディスプレイ）に比べて小型で軽量な投射型表示装置が使用される場合が多い。投射型表示装置には、液晶等のライトバルブを用いて画像を表示し、この画像を拡大投影する方式を採用したものがある。投射型表示装置において、例えば、特許文献１には、「カラースクロール方式」と呼ばれる方式を用いた投射型表示装置が開示されている。
【０００３】
図１２は、カラースクロール方式の投射型表示装置の構成例を説明するための図で、図中、１０は三原色光束形成部、１１は光束整形板、１２はダイクロイックミラー系、２０はライトバルブ、３０は光束整形部、３１はレンズ群、３２はコールドミラー、４０は光源部、４１は白色光源、４２は楕円面反射鏡、５０はカラースクロール部、５１は回転プリズム、５２及び５３はレンズ、６０は投射レンズ系、Ｓは光束整形板１１が有する光束整形用のスリットである。
【０００４】
光源部４０は、白色光源４１と楕円面反射鏡４２から構成される。光源部４０から出射した白色光束は、光束整形部３０において、一連のレンズ群３１、及びコールドミラー３２を経て、投射用の方形形状の光束に整形され、三原色光束形成部１０に入射する。三原色光束形成部１０は、光束整形板１１及びダイクロイックミラー系１２を有している。三原色光束形成部１０において、ダイクロイックミラー系１２は、光束整形部３０から入射した方形形状の白色光を赤、緑、青の三原色に分離する。そして分離された三原色の光は、光束整形板１１が備えた光束整形用のスリットＳでそれぞれ整形されて出射する。
【０００５】
三原色光束形成部１０から出射した三原色光は、カラースクロール部５０に入射する。カラースクロール部５０において、入射した三原色光は回転プリズム５１で作用を受けて出射光路をスクロールさせながらレンズ５２，５３に順次入射する。そしてレンズ５２，５３の作用によって、三原色光はライトバルブ２０上に照射される。ライトバルブ２０における三原色光束の照射領域は、回転プリズム５１の回転によってスクロールされる。ライトバルブ２０は、三原色光束の照射領域と色に応じて、色毎の映像情報を表示する。そしてライトバルブ２０を出射した光束は、投射レンズ系６０によってスクリーン等の被投射手段に投射される。
【０００６】
上記のごとくの構成を有する投射型表示装置により、赤、緑、青（以下、Ｒ、Ｇ、Ｂとする）の光を、１つのライトバルブ（液晶パネル）２０上の異なる領域に同時に照射する。このときに回転プリズム５１を回転させることで、ライトバルブ２０上のＲ、Ｇ、Ｂの照射領域を時間と共に移動（スクロール）させる。ライトバルブ２０は、照射光の種類と照射位置の画像情報に応じて駆動し、フルカラーの画像表示を実現する。
【０００７】
上記特許文献１で開示された「カラースクロール方式」では、Ｒ，Ｇ，Ｂの光の照射領域がライトバルブ上で重複しないように、ライトバルブを照射する光束の形状寸法を整形する必要があった。
【０００８】
図１３は、図１２に示したカラースクロール方式の投射型表示装置における三原色光束形成部の構成を説明するための図で、図中、１２ａはＢ反射ダイクロイックミラー部、１２ｂはＲ反射ダイクロイックミラー部、１２ｃ，１２ｄはミラー部である。上記のごとくの投写型表示装置において、通常は三原色光束形成部１０のダイクロイックミラー系１２とカラースクロール部５０の回転プリズム５１との間の光路上に、三原色の光のそれぞれに対応した３つの光束整形用スリットＳを有する光束整形板１１を設け、この光束整形板１１によってライトバルブ２０上における、Ｒ，Ｇ，Ｂの光束形状寸法を最適な形状に整形している。
【０００９】
すなわち、光束整形部３０からダイクロイックミラー系１２に入射した白色光束は、Ｂ反射ダイクロイックミラー部１２ａでＢ（青）成分が反射し、さらにミラー部１２ｃで反射してＢ用のスリットＳに入射し、その光束形状が整形される。またＲ（赤）成分は、Ｒ反射ダイクロイックミラー部１２ｂで反射し、さらにミラー部１２ｄで反射してＲ用のスリットＳに入射して整形される。またＧ（緑）成分は、ダイクロイックミラー系１２で作用を受けずに直進し、Ｇ用のスリットＳに入射して整形される。
【００１０】
図１４は、従来の光束整形板におけるスリット形状を示す図である。従来のカラースクロール方式の投写型表示装置における光束整形板１１に備えられたスリットＳの形状は、図１４に示すように光学系に係わらず長方形であった。
【００１１】
【特許文献１】
特開平６−３１９１４８号公報
【００１２】
【発明が解決しようとする課題】
しかしながら、上記のように光束整形板１１に備えられたスリットＳの形状を長方形とすると、ライトバルブ２０上へ光束を投射する光学系（回転プリズム５１とレンズ５２，５３）の影響によって、ライトバルブへの照明光が、ディストーションを起こした形状になってしまう。
【００１３】
図１５は、投射型表示装置で問題となるディストーションについて説明するための図で、ディストーションの異なるタイプを図１５（Ａ）及び図１５（Ｂ）に示すものである。ディストーションとは、光学系を用いてライトバルブ等の被結像部に光束を結像させるときに、結像面の位置によって異なる倍率で結像してしまう光学的収差のことである。例えば、図１５（Ａ）及び図１５（Ｂ）において、結像した照明光の理想形状１が長方形である場合に、長方形のスリットＳで整形した光束が光学系の光学的収差によってディストーションを生じると、図１５（Ａ）のような照明光形状２、あるいは図１５（Ｂ）の照明光形状３のごとくの状態で結像されてしまう。
【００１４】
ディストーションの大きさを定量的に表すには、下記公式が用いられる。理想形状１の中心をＯ、理想形状１の任意の点をＰ、ＯとＰを通る直線とディストーションを生じた照明光形状２，４の外周との交点をＡとし、ＡとＯの距離をＡＯ、ＰとＯの距離をＰＯするとき、ディストーションＤ（％）は以下の式で表すことができる。
ディストーションＤ（％）＝｛（ＡＯ−ＰＯ）÷ＰＯ｝×１００
【００１５】
ライトバルブ上の結像状態が、図１５のようになった結果、ライトバルブ上の、Ｒ、Ｇ、Ｂの投射領域に重複が生じ、画質が劣化する。また、ライトバルブから外れた投射光が、迷光となって画質を劣化させる。さらに必要な領域よりも狭い範囲に光束が投射され、画質を劣化させる、等の問題が発生する。
【００１６】
本発明は、上述のごとき実情に鑑みてなされたもので、光学系により生じるディストーションの影響を軽減し、走査する投射光がライトバルブ上において最適な結像状態となるようにした投射型表示装置を提供することを目的とするものである。
【００１７】
【課題を解決するための手段】
本発明の投射型表示装置は、入射光を変調して投射画像を形成するライトバルブと、光源と、その光源から出射した光束を三原色に分離し、各色の光束形状を整形して出射させる三原色光束形成部と、三原色光束形成部からの光束を入射させ、各色の光束をスクロールさせながらライトバルブに結像させるカラースクロール部と、ライトバルブで変調されて出射した光束を投射する投射光学系とを備える投射型表示装置に適用するもので、三原色光束形成部は、入射光束を三原色の光束に分離する分離手段と、分離手段で分離した各光束の形状を整形するための開口部（スリット）を各色ごとに備える光束整形手段とを有し、光束整形手段は、ライトバルブにおける結像光束の形状が最適となるように、開口部からライトバルブに至る光学系による影響を考慮して、その開口部の形状を設定したものである。
【００１８】
上記開口部の形状の設計を行うために、開口部からライトバルブに至る光学系のディストーションの評価を用い、ライトバルブ上において目的とする結像光束の形状に対して、評価したディストーションを用いて演算を行うことによって、開口部の形状を決定する。
【００１９】
さらに具体的には、目的とする結像光束の形状と相似形状で光学系の拡大倍率に従って縮小した開口部基礎形状と、開口部基礎形状の中心Ｏを通るある直線とを定義し、最適な開口部の形状と上記直線との交点をＡとし、開口部基礎形状と上記直線との交点をＢとし、ＯからＡまでの距離をｙ、ＯからＢまでの距離をｙ’として、ある点のディストーション量Ｄを、Ｄ＝ｆ（ｙ）で表すとき、
ｙ＝（１００×ｙ’）÷（ｆ（ｙ）＋１００）
に従ってｙ’の値からｙを求め、直線を回転させて複数のｙを演算することにより目的とする結像光束の形状を構成する。
【００２０】
上記構成により開口部からライトバルブに至る光学系に起因して生じるディストーションの影響を軽減し、ライトバルブの照射光がライトバルブ上で最適な結像状態となる投射型表示装置を提供することができる。
【００２１】
上記構成により、ライトバルブ上の、Ｒ、Ｇ、Ｂの投射領域に重複による画質劣化や、ライトバルブから外れた投射光が迷光となることによる画質劣化、さらに必要な領域よりも狭い範囲に光束が投射されることによる画質劣化、等の問題を抑制することができ、高画質の画像を表示することができる。
【００２２】
【発明の実施の形態】
本実施例は、上述した図１２に示すごとくの構成を有するカラースクロール方式の投射型表示装置において、三原色の光束を整形する光束整形板１１のスリット形状を目的の結像形状が得られるように最適化するものである。
【００２３】
すなわち、本実施例の投射型表示装置は、図１２に示す構成のように、入射光を変調して投射画像を形成するライトバルブ２０と、光源部４０と、光源部４０から出射した光束を三原色に分離し、各色の光束形状を整形して出射させる三原色光束形成部１０と、三原色光束形成部１０からの光束を入射させ、各色の光束をスクロールさせながらライトバルブ２０に結像させるカラースクロール部５０と、ライトバルブ２０で変調されて出射した光束を投射する投射光学系である投射レンズ系６０とを備え、三原色光束形成部１０は、入射光束を三原色の光束に分離する分離手段であるダイクロイックミラー系１２と、ダイクロイックミラー系１２で分離した各光束の形状を整形するためのスリットＳによる開口部を各色ごとに備える光束整形手段（光束整形板１１）とを有している。
【００２４】
図１は、本発明の投射型表示装置における光束整形板のスリット形状の一例を示す図である。光束整形板１１が備えるスリットＳ１の形状は、長方形を歪めた形になっている。このときのスリットＳ１の形状は、以下に説明する手順により定義することができる。
【００２５】
図２は、理想的な照明光形状とディストーションが発生した照明光形状の一例を示す図で、図中、１は理想的な照明光形状（理想形状）、２はディストーションが発生した照明光形状、２０はライトバルブである。また図３は、図２ごとくのディストーションが生じる光学系に対して理想的な照明光形状を得られるようにスリット形状を設計する思想について説明するための図で、Ｓは従来のスリット、Ｓ１は理想的な照明光形状を得ることができる理想スリットである。
【００２６】
まず、図３に示したように、スリットＳにおいて中心Ｏを通るある直線ｍを定義し、理想スリットＳ１の外周と直線ｍとの交点をＡとし、従来のスリットＳの外周と直線ｍとの交点をＢとする。従来のスリットＳは、ライトバルブ上において目的とする結像光束の形状と相似形状であって、その結像光束の形状を光学系の拡大倍率に従って縮小した開口部基礎形状として説明できる。すなわちライトバルブ２０上での照明光の理想形状１は、従来のスリットＳと相似であるので、スリットＳからライトバルブ２０までのレンズ群のディストーション量Ｄ（単位：％）を理想スリットＳ１の形状に対して演算した形状が、従来のスリットＳの形状と等しくなればよい。これにより、理想スリットＳ１を用いたライトバルブ２０上での像が理想形状１と等しくなる。
【００２７】
ここで、図３に示したように、中心ＯからＡ，Ｂまでの距離をそれぞれ  ｙ，ｙ’とする。また、ある点のディストーション量Ｄは、中心Ｏからの距離によって変わるので，
Ｄ＝ｆ（ｙ）      …（１）
で表されるものとする。さらに上記から、図３におけるディストーション量Ｄは、（１）式で表した定義より、ｙとｙ’によって表すことができ、
Ｄ＝（ｙ’  −ｙ）÷ｙ×１００      …（２）
と表される。
【００２８】
上記（１）式及び（２）式は、ともに左辺がＤであることから、右辺同士は等しいので、
ｆ（ｙ）＝（ｙ’−ｙ）÷ｙ×１００
と表すことができ、形を変えると、
ｙ＝（１００×ｙ’）÷（ｆ（ｙ）＋１００）  …（３）
となり、これをｙについて解くことによって、ｙ’の値からｙを求めることができる。
【００２９】
これによって、Ｂに対してＡの位置が一意に定まるので、従来のスリットＳの外周点全てに対してＡの位置を定める（Ｏに関してｍを回転させたときのＡの軌跡を描く）ことで、理想スリットＳ１の形状を定義する。この理想形状をもったスリットＳ１を用いることで、図４に示したような理想的な照明光の理想形状１を得ることができる。
【００３０】
計算の具体的な例として、例えば、本実施例の光学系に、ライトバルブ上でのディストーション量が、ほぼ、
Ｄ＝ｆ（ｙ）＝−ｙ
となるような光学系を用いた場合、スリット形状を決定する式（上記（３）式）に代入して、
ｙ＝（１００×ｙ’）÷（−ｙ＋１００）
となり、これをｙについて解くと、
ｙ＾２−１００ｙ＋１００ｙ’＝０（ｙ＾２はｙの２乗）
ｙ＝１０｛５―（√（２５―ｙ’））｝
となる。よって、例えば、ｙ’＝９のとき、ｙ＝１０となる。
【００３１】
図５は、上記Ｄ＝ｆ（ｙ）＝−ｙとなるような光学系を用いた場合のｙとｙ’の関係をプロットしたグラフである。図５のグラフから、従来のスリットＳの全ての外周点に対して，理想スリットＳ１の外周点を定め、それらを結ぶことで理想スリットＳ１の形状を定めることができる。実際には、すべての点について理想スリットＳ１の形状を演算することは不可能であるから、頂点を含むなるべく多くの点（少なくとも８点以上）を演算することで理想スリットＳ１の形状を定める。図６に、８点のみの演算の結果得られた理想スリット形状Ｓ１’の例を示す。
【００３２】
本実施例による理想スリットＳ１を用いてディストーション補正を行った場合、その影響から光量が中心と周辺部で異なり、周辺の光量が相対的に多くなる可能性がある。このような光量の不均一は、スリットより前の照明光学系について、スリット面で周辺光量を減らすように設計することで均一に修正することができる。ただし、一般的に周辺光量は不足するので、特に周辺光量を減らす設計をしなくてもよい。
【００３３】
上記実施例では、理想的な照明光形状１に対してディストーションが内側に向かって生じる光学系を例として示しているが、外側に向かってディストーションが生じる場合も同様に改善することができる。
【００３４】
図７は、理想的な照明光形状とディストーションが発生した照明光形状の他の例を示す図で、図中、１は理想的な照明光形状（理想形状）、３は外側に向かってディストーションが発生した照明光形状である。また図８は、図７の光学系に対して理想的な照明光形状を得るようにしたスリット形状を示す図で、図中、Ｓ２は理想スリットである。以下に図７に示すごとくの光学系おける理想スリットＳ２の形状決定プロセスを図９を参照しながら説明する。
【００３５】
図９は、図７ごとくのディストーションが生じる光学系に対して理想的な照明光形状を得られるようにスリット形状を設計する思想について説明するための図である。まず、図９に示したように、スリットにおいて中心Ｏを通るある直線ｍを定義し、理想スリットＳ２の外周と直線ｍとの交点をＡとし、従来のスリットＳの外周と直線ｍとの交点をＢとする。ライトバルブ２０上での照明光の理想形状１は、従来のスリットＳと相似であるので、スリットからライトバルブ２０までのレンズ群のディストーション量Ｄ（単位：％）を理想スリットＳ２に対して演算した形状が、従来のスリットＳと等しくなればよい。これにより、理想スリットＳ２を用いたライトバルブ２０上での像が理想形状１と等しくなる。
【００３６】
ここで、図９に示したように、中心ＯからＡ，Ｂまでの距離をそれぞれ  ｙ，ｙ’とする。また、ある点のディストーション量Ｄは、中心Ｏからの距離によって変わるので、上述の実施例と同様に、
Ｄ＝ｆ（ｙ）      …（１）
で表されるものとする。さらに上記から、図９におけるディストーション量Ｄは、（１）式で表した定義より、ｙとｙ’によって表すことができ、
Ｄ＝（ｙ’−ｙ）÷ｙ×１００      …（２）
と表される。
【００３７】
上記（１）式及び（２）式は、ともに左辺がＤであることから、右辺同士は等しいので、
ｆ（ｙ）＝（ｙ’−ｙ）÷ｙ×１００
と表すことができ、形を変えると、
ｙ＝（１００×ｙ’）÷（ｆ（ｙ）＋１００）  …（３）
となり、これをｙについて解くことによって、ｙ’の値からｙを求めることができる。
【００３８】
これによって、Ｂに対してＡの位置が一意に定まるので、従来のスリットＳの外周点全てに対してＡの位置を定める（Ｏに関してｍを回転させたときのＡの軌跡を描く）ことで、理想スリットＳ２の形状を定義する。
【００３９】
例えば、本実施例の光学系に、ライトバルブ上でのディストーション量が、ほぼ、
Ｄ＝ｆ（ｙ）＝ｙ
となるような光学系を用いた場合、スリット形状を決定する式（上記（３）式）に代入して、
ｙ＝（１００×ｙ’）÷（ｙ＋１００）
となり、これをｙについて解くと、
ｙ＾２＋１００ｙ−１００ｙ’＝０（ｙ＾２はｙの２乗）
ｙ＝１０｛（√（２５＋ｙ’））−５｝
となる。よって、例えば、ｙ’＝１１のとき、ｙ＝１０となる。
【００４０】
図１０は、上記Ｄ＝ｆ（ｙ）＝ｙとなるような光学系を用いた場合のｙとｙ’の関係をプロットしたグラフである。図１０のグラフから、従来のスリット形状Ｓのすべての点に対して，理想スリットＳ２の外周点を定め、それらを結ぶことで理想スリット形状Ｓ２を定めることができる。実際には、すべての点について理想スリット形状を演算することは不可能であるから、頂点を含むなるべく多くの点（少なくとも８点以上）を演算することで理想スリットＳ２の形状を定める。図１１に、８点のみの演算の結果得られた理想スリットＳ２’の例を示す。
【００４１】
なお上述した各実施例では、いずれの場合にも、スリットが照明光で満たされていることを前提とする。
【００４２】
【発明の効果】
上記の説明から明らかなように、ライトバルブ上に投射される照明光の光束の形状寸法を整形するために、光源とライトバルブの間に光束の形状寸法整形用の開口部を備えた光束整形板を有する投射型表示装置において、開口部からライトバルブに至る光学系に起因して生じるディストーションの影響を軽減し、ライトバルブの照射光がライトバルブ上で最適な結像状態となる投射型表示装置を提供することができる。
【００４３】
すなわち、本発明の投射型表示装置によって、ライトバルブ上の、Ｒ、Ｇ、Ｂの投射領域の重複による画質劣化や、ライトバルブから外れた投射光が迷光となることによる画質劣化、さらに必要な領域よりも狭い範囲に光束が投射されることによる画質劣化、等の問題を抑制することができ、高画質の画像を表示することができる投射型表示装置を提供できる。
【図面の簡単な説明】
【図１】本発明の投射型表示装置における光束整形板のスリット形状の一例を示す図である。
【図２】理想的な照明光形状とディストーションが発生した照明光形状の一例を示す図である。
【図３】図２ごとくのディストーションが生じる光学系に対して理想的な照明光形状を得られるようにスリット形状を設計する思想について説明するための図である。
【図４】理想的な照明光の形状の例を示す図である。
【図５】Ｄ＝ｆ（ｙ）＝−ｙとなるような光学系を用いた場合のｙとｙ’の関係をプロットしたグラフである。
【図６】８点のみの演算の結果得られた理想スリット形状の１例を示す図である。
【図７】理想的な照明光形状とディストーションが発生した照明光形状の他の例を示す図である。
【図８】図７の光学系に対して理想的な照明光形状を得るようにしたスリット形状を示図である。
【図９】図７ごとくのディストーションが生じる光学系に対して理想的な照明光形状を得られるようにスリット形状を設計する思想について説明するための図である。
【図１０】Ｄ＝ｆ（ｙ）＝ｙとなるような光学系を用いた場合のｙとｙ’の関係をプロットしたグラフである。
【図１１】８点のみの演算の結果得られた理想スリット形状の他例を示す図である。
【図１２】カラースクロール方式の投射型表示装置の構成例を説明するための図である。
【図１３】図１２に示したカラースクロール方式の投射型表示装置における三原色光束形成部の構成を説明するための図である。
【図１４】従来の光束整形板におけるスリット形状を示す図である。
【図１５】投射型表示装置で問題となるディストーションについて説明するための図である。
【符号の説明】
１…理想的な照明光形状（理想形状）、２…内側に向かってディストーションが発生した照明光形状、３…外側に向かってディストーションが発生した照明光形状、１０…三原色光束形成部、１１…光束整形板、１２…ダイクロイックミラー系、２０…ライトバルブ、３０…光束整形部、３１…レンズ群、３２…コールドミラー、４０…光源部、４１…白色光源、４２…楕円面反射鏡、５０…カラースクロール部、５１…回転プリズム、５２，５３…レンズ、６０…投射レンズ系、Ｓ…従来のスリット、Ｓ１，Ｓ２…理想のスリット。
【図１】
2004151154.tif 000003
【図２】
2004151154.tif 000004
【図３】
2004151154.tif 000005
【図４】
2004151154.tif 000006
【図５】
2004151154.tif 000007
【図６】
2004151154.tif 000008
【図７】
2004151154.tif 000009
【図８】
2004151154.tif 000010
【図９】
2004151154.tif 000011
【図１０】
2004151154.tif 000012
【図１１】
2004151154.tif 000013
【図１２】
2004151154.tif 000014
【図１３】
2004151154.tif 000015
【図１４】
2004151154.tif 000016
【図１５】
2004151154.tif 000017